(57)【要約】【課題】共通の電源に接続される複数のフィルタ回路を備え、フィルタ回路の接続の仕方を工夫することによりノイズ除去性能を向上させた電子装置を提供する。【解決手段】フィルタ回路１０は、コンデンサ１００、１０１の一端部に接続される配線パターンの当該一端部の近傍に接続部Ｐ１００、Ｐ１０１を有している。フィルタ回路１１は、コンデンサ１１０、１１１の一端部に接続される配線パターンの当該一端部の近傍に接続部Ｐ１１０、Ｐ１１１を有している。そのため、接続部からコンデンサの端部までの配線長が短くなり、配線のインダクタンスが抑えられる。その結果、接続部にコンデンサが直接接続された状態になる。フィルタ回路１０、１１は、接続部Ｐ１００、Ｐ１０１、Ｐ１１０、Ｐ１１１を介して接続されている。そのため、コンデンサ１００、１０１とフィルタ回路１１が多段接続された状態になる。従って、ノイズ除去性能を向上させることができる。【選択図】図２
2015226087.tif 000002
【特許請求の範囲】
【請求項１】
コンデンサ（１００、１０１、１１０、１１１、２００、２０１、２１０、２１１、２２０、２２１、２３０、２３１）を有し、前記コンデンサが共通の電源（Ｂ１、Ｂ２）に接続され、ノイズをそれぞれ除去する複数のフィルタ回路（１０、１１、２０〜２３）を備えた電子装置において、
複数の前記フィルタ回路は、前記コンデンサの端部に接続される配線の当該端部の近傍に接続部（Ｐ１００、Ｐ１０１、Ｐ１１０、Ｐ１１１、Ｐ２００、Ｐ２０１、Ｐ２１０、Ｐ２１１、Ｐ２２０、Ｐ２２１、Ｐ２３０、Ｐ２３１、）を有し、前記接続部を介して少なくともいずれかの前記フィルタ回路に接続されていることを特徴とする電子装置。
【請求項２】
いずれかの前記フィルタ回路（１０、２０）は、前記接続部を介して前記電源に接続されていることを特徴とする請求項１に記載の電子装置。
【請求項３】
前記接続部同士を接続する配線（ＢＢ１２、ＢＢ１３、ＰＴ１２、ＰＴ１３、ＢＢ２２〜ＢＢ２９）は、前記接続部同士を接続する配線のインダクタンスと、当該配線によって接続される前記接続部に接続されている前記コンデンサで、ノイズ除去機能を有する回路を構成することができるように、長さが調整されていることを特徴とする請求項１又は２に記載の電子装置。
【請求項４】
前記接続部同士を接続する配線（ＢＢ１２、ＢＢ１３、ＢＢ２２〜ＢＢ２９）は、バスバーによって構成されていることを特徴とする請求項１〜３のいずれか１項に記載の電子装置。
【請求項５】
複数の前記フィルタ回路（１０、１１）は、共通の配線基板（ＰＢ１３）に設けられ、  前記接続部同士を接続する配線（ＰＴ１２、ＰＴ１３）は、前記配線基板上の配線パターンによって構成されていることを特徴とする請求項１〜３のいずれか１項に記載の電子装置。
【請求項６】
スイッチング素子を有し、前記フィルタ回路毎に接続され、前記スイッチング素子をスイッチングさせることで、前記フィルタ回路を介して供給される電力を変換して出力する複数の電力変換回路（１２、１３、２４〜２７）を有することを特徴とする請求項１〜５のいずれか１項に記載の電子装置。
【発明の詳細な説明】
【技術分野】
【０００１】
本発明は、共通の電源に接続される複数のフィルタ回路を備えた電子装置に関する。
【背景技術】
【０００２】
従来、電子装置として、例えば以下に示す特許文献１に開示される電源システムがある。
【０００３】
この電源システムは、高出力に対応するため、２つのコンバータ回路を並列駆動する。２つのコンバータ回路の入力端は、共通の高電圧バッテリに接続されている。また、２つのコンバータ回路の出力端は、共通の低電圧バッテリに接続されている。２つのコンバータ回路は、同一構成であり、ともにスイッチング素子を備えている。そして、スイッチング素子を所定タイミングでスイッチングさせることで、それぞれ、高電圧バッテリから供給される直流の電圧を降圧して低電圧バッテリに供給する。
【先行技術文献】
【特許文献】
【０００４】
【特許文献１】特開２０１３−０８１３４９号公報
【発明の概要】
【発明が解決しようとする課題】
【０００５】
前述した電源システムでは、コンバータ回路は、スイッチング素子をスイッチングさせることで、高電圧バッテリから供給される直流を変換して低電圧バッテリに供給する。そのため、スイッチングに伴うノイズが発生してしまう。そこで、ノイズを除去するため、一般的に、コンバータ回路の入力端にフィルタ回路が接続されている。前述した電源システムの場合、２つのコンバータ回路の入力端にそれぞれフィルタ回路が接続される。その結果、２つのフィルタ回路が共通の高電圧バッテリに接続されることになる。しかし、２つのフィルタ回路は、それぞれ直接接続されているコンバータ回路にはフィルタとして機能するが、他のコンバータ回路に対してはフィルタとして機能しない。
【０００６】
本発明はこのような事情に鑑みてなされたものであり、共通の電源に接続される複数のフィルタ回路を備え、フィルタ回路の接続の仕方を工夫することによりノイズ除去性能を向上させた電子装置を提供することを目的とする。
【課題を解決するための手段】
【０００７】
上記課題を解決するためになされた本発明は、コンデンサを有し、コンデンサが共通の電源に接続され、ノイズをそれぞれ除去する複数のフィルタ回路を備えた電子装置において、複数のフィルタ回路は、コンデンサの端部に接続される配線の当該端部の近傍に接続点を有し、接続点を介して少なくともいずれかのフィルタ回路に接続されていることを特徴とする。
【０００８】
この構成によれば、接続点は、コンデンサの端部に接続される配線の当該端部の近傍に設けられている。そのため、接続点からコンデンサの端部までの配線長が短くなり、配線のインダクタンスが抑えられる。その結果、接続点に、コンデンサが直接接続された状態になる。複数のフィルタ回路は、接続点を介して少なくともいずれかのフィルタ回路に接続されている。そのため、フィルタ回路の前段に他のフィルタ回路のコンデンサが接続された状態になる。つまり、コンデンサとフィルタ回路が多段接続された状態になる。そのため、ノイズ除去性能を向上させることができる。
【図面の簡単な説明】
【０００９】
【図１】第１実施形態における電力変換装置の概略構成を示すブロック図である。
【図２】図１におけるフィルタ回路の回路図である。
【図３】第１実施形態の変形形態におけるフィルタ回路の回路図である。
【図４】第２実施形態における電力変換装置の概略構成を示すブロック図である。
【図５】図４におけるフィルタ回路の回路図である。
【図６】第２実施形態の変形形態におけるフィルタ回路の回路図である。
【発明を実施するための形態】
【００１０】
次に、実施形態を挙げ、本発明をより詳しく説明する。本実施形態では、本発明に係る電子装置を、車両に搭載された高電圧バッテリから供給される電力を変換して出力する電力変換装置に適用した例を示す。
【００１１】
（第１実施形態）
まず、図１を参照して第１実施形態の電力変換装置の概略構成について説明する。
【００１２】
図１に示す電力変換装置１は、ハイブリッド車両に搭載され、高電圧バッテリＢ１（電源）から供給される直流電力を、低電圧の直流電力に変換して低電圧バッテリや負荷（図略）に供給する装置である。電力変換装置１は、２つのフィルタ回路１０、１１と、２つのコンバータ回路１２、１３（電力変換回路）とを備えている。
【００１３】
フィルタ回路１０、１１は、共通の高電圧バッテリＢ１に接続され、コンバータ回路１２、１３の動作に伴うノイズをそれぞれ除去する回路である。フィルタ回路１０、１１の入力端は共通接続され高電圧バッテリＢ１に、出力端はコンバータ回路１２、１３にそれぞれ接続されている。
【００１４】
コンバータ回路１２、１３は、スイッチング素子を有し、スイッチング素子をスイッチングさせることで、フィルタ回路１０、１１を介して高電圧バッテリＢ１から供給される直流電力を変換して、それぞれ共通の低電圧バッテリや負荷に供給する回路である。コンバータ回路１２、１３の入力端はフィルタ回路１０、１１の出力端に、出力端は共通接続され、低電圧バッテリや負荷にそれぞれ接続されている。
【００１５】
次に、図２を参照してフィルタ回路の構成について説明する。
【００１６】
図２に示すように、フィルタ回路１０は、コンデンサ１００、１０１と、コモンモードチョークコイル１０２と、コンデンサ１０３〜１０５とを備えた、周知のフィルタ回路である。コモンモードチョークコイル１０２は、巻線１０２ａ、１０２ｂを備えている。フィルタ回路１０は、プリント基板ＰＢ１０に設けられている。
【００１７】
コンデンサ１００、１０１は、配線パターンを介して直列接続されている。コンデンサ１００、１０１の直列接続点はグランドに接続されている。コンデンサ１００の一端は、配線パターンを介してコモンモードチョークコイル１０２の巻線１０２ａの一端に接続されている。コンデンサ１０１の一端は、配線パターンを介してコモンモードチョークコイル１０２の巻線１０２ｂの一端に接続されている。コンデンサ１００の一端部に接続される配線パターンの当該一端部の近傍には、接続部Ｐ１００が設けられている。また、コンデンサ１０１の一端部に接続される配線パターンの当該一端部の近傍には、接続部Ｐ１０１が設けられている。
【００１８】
コンデンサ１０３、１０４は、配線パターンを介して直列接続されている。コンデンサ１０３、１０４の直列接続点はグランドに接続されている。コンデンサ１０３の一端は、配線パターンを介してコモンモードチョークコイル１０２の巻線１０２ａの他端に接続されている。コンデンサ１０４の一端は、配線パターンを介してコモンモードチョークコイル１０２の巻線１０２ｂの他端に接続されている。
【００１９】
コンデンサ１０５の一端は配線パターンを介してコンデンサ１０３の一端に、他端は配線パターンを介してコンデンサ１０４の一端にそれぞれ接続されている。また、コンデンサ１０５の一端及び他端は、それぞれ配線パターンを介して、プリント基板ＰＢ１０に設けられたコンバータ回路１２（図略）の入力端にも接続されている。
【００２０】
フィルタ回路１１は、コンデンサ１１０、１１１と、コモンモードチョークコイル１１２と、コンデンサ１１３〜１１５とを備えた、フィルタ回路１０と同一の回路である。コモンモードチョークコイル１１２は、巻線１１２ａ、１１２ｂを備えている。フィルタ回路１１は、プリント基板ＰＢ１０に隣接して配置されたプリント基板ＰＢ１１に設けられている。
【００２１】
コンデンサ１１０、１１１、コモンモードチョークコイル１１２及びコンデンサ１１３〜１１５は、コンデンサ１００、１０１、コモンモードチョークコイル１０２及びコンデンサ１０３〜１０５と同一構成である。コンデンサ１１０の一端部に接続される配線パターンの当該一端部の近傍には、接続部Ｐ１１０が設けられている。また、コンデンサ１１１の一端部に接続される配線パターンの当該一端部の近傍には、接続部Ｐ１１１が設けられている。さらに、コンデンサ１１５の一端及び他端は、それぞれ配線パターンを介して、プリント基板ＰＢ１１に設けられたコンバータ回路１３（図略）の入力端に接続されている。
【００２２】
フィルタ回路１０の接続部Ｐ１００、Ｐ１０１は、金属からなる板状のバスバーＢＢ１０、ＢＢ１１（配線）を介して高電圧バッテリＢ１にそれぞれ接続されている。フィルタ回路１１の接続部Ｐ１１０、Ｐ１１１は、金属からなる板状のバスバーＢＢ１２、ＢＢ１３（配線）を介してフィルタ回路１０の接続部Ｐ１００、Ｐ１０１にそれぞれ接続されている。
【００２３】
バスバーＢＢ１２、ＢＢ１３は、板厚方向と直交する方向に所定の間隔を隔てて平行に配置されている。バスバーＢＢ１２は、バスバーＢＢ１２のインダクタンスと、バスバーＢＢ１２によって接続される接続部Ｐ１００、Ｐ１１０に接続されているコンデンサ１００、１１０で、ノイズ除去機能を有する回路を構成することができるように、長さが調整されている。また、バスバーＢＢ１３は、バスバーＢＢ１３のインダクタンスと、バスバーＢＢ１３によって接続される接続部Ｐ１０１、Ｐ１１１に接続されているコンデンサ１０１、１１１で、ノイズ除去機能を有する回路を構成することができるように、長さが調整されている。
【００２４】
次に、図１及び図２を参照して第１実施形態の電力変換装置の動作について説明する。なお、フィルタ回路１０、１１は周知のフィルタ回路であり、それら自体の詳細な動作は、本発明の内容と直接的に関係がないため説明を省略する。
【００２５】
図１に示すコンバータ回路１２、１３のスイッチング素子がスイッチングすることで、スイッチングノイズが発生する。
【００２６】
図２に示すように、フィルタ回路１０の接続部Ｐ１００、Ｐ１０１は、バスバーＢＢ１０、ＢＢ１１を介して高電圧バッテリＢ１に接続されている。コンバータ回路１２の動作に伴うノイズは、フィルタ回路１０によって除去される。
【００２７】
フィルタ回路１１の接続部Ｐ１１０、Ｐ１１１は、バスバーＢＢ１２、ＢＢ１３を介してフィルタ回路１０の接続部Ｐ１００、Ｐ１０１に接続されている。
【００２８】
接続部Ｐ１００、Ｐ１０１は、コンデンサ１００、１０１の一端部に接続される配線パターンの当該一端部の近傍に設けられている。そのため、接続部Ｐ１００からコンデンサ１００の一端部までの配線パターンの長さが短くなり、配線パターンのインダクタンスが抑えられる。また、接続部Ｐ１０１からコンデンサ１０１の一端部までの配線パターンの長さが短くなり、配線パターンのインダクタンスが抑えられる。その結果、配線パターンのインダクタンスの影響を受けることなく、接続部Ｐ１００、Ｐ１０１に、コンデンサ１００、１０１が直接接続された状態になる。これにより、フィルタ回路１１の前段に、フィルタ回路１０のコンデンサ１００、１０１が接続された状態になる。つまり、コンデンサ１００、１０１とフィルタ回路１１が多段接続された状態になる。
【００２９】
バスバーＢＢ１２は、バスバーＢＢ１２のインダクタンスとコンデンサ１００、１１０で、ノイズ除去機能を有する回路を構成することができるように、長さが調整されている。また、バスバーＢＢ１３は、バスバーＢＢ１３のインダクタンスとコンデンサ１０１、１１１で、ノイズ除去機能を有する回路を構成することができるように、長さが調整されている。そのため、バスバーＢＢ１２のインダクタンスとコンデンサ１００、１１０、及び、バスバーＢＢ１３のインダクタンスとコンデンサ１０１、１１１で、フィルタ回路が別途形成される。
【００３０】
コンバータ回路１３の動作に伴うノイズは、フィルタ回路１１によって除去される。また、バスバーＢＢ１２のインダクタンスとコンデンサ１００、１１０、及び、バスバーＢＢ１３のインダクタンスとコンデンサ１０１、１１１で別途形成されたフィルタ回路によって除去される。
【００３１】
図１に示すコンバータ回路１２、１３は、スイッチング素子をスイッチングさせることで、フィルタ回路１０、１１を介して供給される直流電力を変換してそれぞれ共通の負荷に供給する。これにより、高電圧バッテリＢ１から供給される直流電力が、フィルタ回路１０及びコンバータ回路１２、フィルタ回路１１及びコンバータ回路１３を介して負荷に供給される。
【００３２】
次に、第１実施形態の電力変換装置の効果について説明する。
【００３３】
第１実施形態によれば、フィルタ回路１０は、コンデンサ１００、１０１の一端部に接続される配線パターンの当該一端部の近傍に接続部Ｐ１００、Ｐ１０１を有している。また、フィルタ回路１１は、コンデンサ１１０、１１１の一端部に接続される配線パターンの当該一端部の近傍に接続部Ｐ１１０、Ｐ１１１を有している。そして、フィルタ回路１０、１１は、接続部Ｐ１００、Ｐ１０１、Ｐ１１０、Ｐ１１１を介して接続されている。そのため、前述したように、コンデンサ１００、１０１とフィルタ回路１１が多段接続された状態になる。従って、ノイズ除去性能を向上させることができる。
【００３４】
第１実施形態によれば、接続部Ｐ１００、Ｐ１０１、Ｐ１１０、Ｐ１１１を介して接続されているフィルタ回路１０、１１のうち、フィルタ回路１０は、接続部Ｐ１００、Ｐ１０１を介して高電圧バッテリＢ１に接続されている。そのため、フィルタ回路１０、１１を共通の高電圧バッテリＢ１に確実に接続することができる。
【００３５】
第１実施形態によれば、バスバーＢＢ１２は、バスバーＢＢ１２のインダクタンスとコンデンサ１００、１１０によって、ノイズ除去機能を有する回路を構成することができるように、長さが調整されている。また、バスバーＢＢ１３は、バスバーＢＢ１３のインダクタンスとコンデンサ１０１、１１１によって、ノイズ除去機能を有する回路を構成することができるように、長さが調整されている。そのため、バスバーＢＢ１２のインダクタンスとコンデンサ１００、１１０、及び、バスバーＢＢ１３のインダクタンスとコンデンサ１０１、１１１によって、フィルタ回路が別途形成されることになる。そのため、ノイズ除去性能をさらに向上させることができる。
【００３６】
第１実施形態によれば、接続部Ｐ１００、Ｐ１１０を接続する配線、及び、接続部Ｐ１０１、Ｐ１１１を接続する配線は、バスバーＢＢ１２、ＢＢ１３によって構成されている。そのため、フィルタ回路１０、１１がそれぞれ別のプリント基板ＰＢ１０、ＰＢ１１に設けられていても、確実に接続することができる。また、長さの調整が容易なため、適切なインダクタンスに容易に調整することができる。
【００３７】
第１実施形態によれば、第１実施形態に示す装置は電力変換装置である。電力変換装置１は、スイッチング素子を有し、フィルタ回路１０、１１毎に接続され、スイッチング素子をスイッチングさせることで、フィルタ回路１０、１１を介して供給される電力を変換して出力するコンバータ回路１２、１３を有している。このような構成の装置であっても、ノイズ性能を向上させることができる。
【００３８】
なお、第１実施形態では、フィルタ回路１０、１１がプリント基板ＰＢ１０、ＰＢ１１にそれぞれ設けられている例を挙げているが、これに限られるものではない。図３に示すように、フィルタ回路１０、１１は、共通のプリント基板ＰＢ１３（配線基板）に設けられ、プリント基板ＰＢ１３上の配線パターンによって接続されていてもよい。フィルタ回路１０、１１の接続にバスバーを用いる必要がなくなる。そのため、部品点数を削減でき、コストを抑えることができる。
【００３９】
第１実施形態では、フィルタ回路同士を接続するバスバーが、板厚方向と直交する方向に所定の間隔を隔てて平行に配置されている例を挙げているが、これに限られるものではない。フィルタ回路同士を接続するバスバーは、板厚方向に所定の間隔を隔てて対向して配置されていてもよい。
【００４０】
（第２実施形態）
次に、第２実施形態の電力変換装置について説明する。第２実施形態の電力変換装置は、第１実施形態の電力変換装置に対して、フィルタ回路及びコンバータ回路の数を増加させたものである。
【００４１】
まず、図４を参照して第２実施形態の電力変換装置の概略構成について説明する。
【００４２】
図４に示す電力変換装置２は、ハイブリッド車両に搭載され、高電圧バッテリＢ２（電源）から供給される直流電力を、低電圧の直流電力に変換して低電圧バッテリや負荷（図略）に供給する装置である。電力変換装置２は、４つのフィルタ回路２０〜２３と、４つのコンバータ回路２４〜２７（電力変換回路）とを備えている。
【００４３】
フィルタ回路２０〜２３は、共通の高電圧バッテリＢ２に接続され、コンバータ回路２４〜２７の動作に伴うノイズをそれぞれ除去する回路である。フィルタ回路２０〜２３の入力端は共通接続され高電圧バッテリＢ２に、出力端はコンバータ回路２４〜２７にそれぞれ接続されている。
【００４４】
図５に示すように、フィルタ回路２０は、コンデンサ２００、２０１と、コモンモードチョークコイル２０２と、コンデンサ２０３〜２０５とを備えた、周知のフィルタ回路である。コモンモードチョークコイル２０２は、巻線２０２ａ、２０２ｂを備えている。フィルタ回路２０は、プリント基板ＰＢ２０に設けられている。コンデンサ２００、２０１、コモンモードチョークコイル２０２及びコンデンサ２０３〜２０５は、第１実施形態のコンデンサ１００、１０１、コモンモードチョークコイル１０２及びコンデンサ１０３〜１０５と同一構成である。コンデンサ２００の一端部に接続される配線パターンの当該一端部の近傍には、接続部Ｐ２００が設けられている。また、コンデンサ２０１の一端部に接続される配線パターンの当該一端部の近傍には、接続部Ｐ２０１が設けられている。
【００４５】
フィルタ回路２１は、コンデンサ２１０、２１１と、コモンモードチョークコイル２１２と、コンデンサ２１３〜２１５とを備えている。コモンモードチョークコイル２１２は、巻線２１２ａ、２１２ｂを備えている。フィルタ回路２１は、フィルタ回路２０と同一構成の回路である。フィルタ回路２１は、プリント基板ＰＢ２０に隣接して配置されたプリント基板ＰＢ２１に設けられている。コンデンサ２１０の一端部に接続される配線パターンの当該一端部の近傍には、接続部Ｐ２１０が設けられている。また、コンデンサ２１１の一端部に接続される配線パターンの当該一端部の近傍には、接続部Ｐ２１１が設けられている。
【００４６】
フィルタ回路２２は、コンデンサ２２０、２２１と、コモンモードチョークコイル２２２と、コンデンサ２２３〜２２５とを備えている。コモンモードチョークコイル２２２は、巻線２２２ａ、２２２ｂを備えている。フィルタ回路２２は、フィルタ回路２０と同一構成の回路である。フィルタ回路２２は、プリント基板ＰＢ２１に隣接して配置されたプリント基板ＰＢ２２に設けられている。コンデンサ２２０の一端部に接続される配線パターンの当該一端部の近傍には、接続部Ｐ２２０が設けられている。また、コンデンサ２２１の一端部に接続される配線パターンの当該一端部の近傍には、接続部Ｐ２２１が設けられている。
【００４７】
フィルタ回路２３は、コンデンサ２３０、２３１と、コモンモードチョークコイル２３２と、コンデンサ２３３〜２３５とを備えている。コモンモードチョークコイル２３２は、巻線２３２ａ、２３２ｂを備えている。フィルタ回路２３は、フィルタ回路２０と同一構成の回路である。フィルタ回路２３は、プリント基板ＰＢ２２に隣接して配置されたプリント基板ＰＢ２３に設けられている。コンデンサ２３０の一端部に接続される配線パターンの当該一端部の近傍には、接続部Ｐ２３０が設けられている。また、コンデンサ２３１の一端部に接続される配線パターンの当該一端部の近傍には、接続部Ｐ２３１が設けられている。
【００４８】
フィルタ回路２０の接続部Ｐ２００、Ｐ２０１は、金属からなる板状のバスバーＢＢ２０、ＢＢ２１を介して高電圧バッテリＢ２にそれぞれ接続されている。フィルタ回路２１の接続部Ｐ２１０、Ｐ２１１は、金属からなる板状のバスバーＢＢ２２、ＢＢ２３を介してフィルタ回路２０の接続部Ｐ２００、Ｐ２０１にそれぞれ接続されている。
【００４９】
バスバーＢＢ２２、ＢＢ２３は、板厚方向と直交する方向に所定の間隔を隔てて平行に配置されている。バスバーＢＢ２２は、バスバーＢＢ２２のインダクタンスと、バスバーＢＢ２２によって接続される接続部Ｐ２００、Ｐ２１０に接続されているコンデンサ２００、２１０で、ノイズ除去機能を有する回路を構成することができるように、長さが調整されている。また、バスバーＢＢ２３は、バスバーＢＢ２３のインダクタンスと、バスバーＢＢ２３によって接続される接続部Ｐ２０１、Ｐ２１１に接続されているコンデンサ２０１、２１１で、ノイズ除去機能を有する回路を構成することができるように、長さが調整されている。
【００５０】
フィルタ回路２２の接続部Ｐ２２０、Ｐ２２１は、金属からなる板状のバスバーＢＢ２４、ＢＢ２５を介してフィルタ回路２１の接続部Ｐ２１０、Ｐ２１１にそれぞれ接続されている。
【００５１】
バスバーＢＢ２４、ＢＢ２５は、板厚方向と直交する方向に所定の間隔を隔てて平行に配置されている。バスバーＢＢ２４は、バスバーＢＢ２４のインダクタンスと、バスバーＢＢ２４によって接続される接続部Ｐ２１０、Ｐ２２０に接続されているコンデンサ２１０、２２０で、ノイズ除去機能を有する回路を構成することができるように、長さが調整されている。また、バスバーＢＢ２５は、バスバーＢＢ２５のインダクタンスと、バスバーＢＢ２５によって接続される接続部Ｐ２１１、Ｐ２２１に接続されているコンデンサ２１１、２２１で、ノイズ除去機能を有する回路を構成することができるように、長さが調整されている。
【００５２】
フィルタ回路２３の接続部Ｐ２３０、Ｐ２３１は、金属からなる板状のバスバーＢＢ２６、ＢＢ２７を介してフィルタ回路２２の接続部Ｐ２２０、Ｐ２２１にそれぞれ接続されている。
【００５３】
バスバーＢＢ２６、ＢＢ２７は、板厚方向と直交する方向に所定の間隔を隔てて平行に配置されている。バスバーＢＢ２６は、バスバーＢＢ２６のインダクタンスと、バスバーＢＢ２６によって接続される接続部Ｐ２２０、Ｐ２３０に接続されているコンデンサ２２０、２３０で、ノイズ除去機能を有する回路を構成することができるように、長さが調整されている。また、バスバーＢＢ２７は、バスバーＢＢ２７のインダクタンスと、バスバーＢＢ２７によって接続される接続部Ｐ２２１、Ｐ２３１に接続されているコンデンサ２２１、２３１で、ノイズ除去機能を有する回路を構成することができるように、長さが調整されている。
【００５４】
次に、図４及び図５を参照して第２実施形態の電力変換装置の動作について説明する。なお、フィルタ回路２０〜２３は周知のフィルタ回路であり、それら自体の詳細な動作は、本発明の内容と直接的に関係がないため説明を省略する。
【００５５】
図４に示すコンバータ回路２４〜２７のスイッチング素子がスイッチングすることで、スイッチングノイズが発生する。
【００５６】
図５に示すように、フィルタ回路２０の接続部Ｐ２００、Ｐ２０１は、バスバーＢＢ２０、ＢＢ２１を介して高電圧バッテリＢ２に接続されている。コンバータ回路２４の動作に伴うノイズは、フィルタ回路２０によって除去される。
【００５７】
フィルタ回路２１の接続部Ｐ２１０、Ｐ２１１は、バスバーＢＢ２２、ＢＢ２３を介してフィルタ回路２０の接続部Ｐ２００、Ｐ２０１に接続されている。
【００５８】
接続部Ｐ２００、Ｐ２０１は、コンデンサ２００、２０１の一端部に接続される配線パターンの当該一端部の近傍に設けられている。そのため、第１実施形態の場合と同様に、コンデンサ２００、２０１とフィルタ回路２１が多段接続された状態になる。
【００５９】
バスバーＢＢ２２は、バスバーＢＢ２２のインダクタンスとコンデンサ２００、２１０で、ノイズ除去機能を有する回路を構成することができるように、長さが調整されている。また、バスバーＢＢ２３は、バスバーＢＢ２３のインダクタンスとコンデンサ２０１、２１１で、ノイズ除去機能を有する回路を構成することができるように、長さが調整されている。そのため、第１実施形態の場合と同様に、バスバーＢＢ２２のインダクタンスとコンデンサ２００、２１０、及び、バスバーＢＢ２３のインダクタンスとコンデンサ２０１、２１１で、フィルタ回路が別途形成されることになる。
【００６０】
コンバータ回路２５の動作に伴うノイズは、フィルタ回路２１によって除去される。また、バスバーＢＢ２２のインダクタンスとコンデンサ２００、２１０、及び、バスバーＢＢ２３のインダクタンスとコンデンサ２０１、２１１で別途形成されたフィルタ回路によって除去される。
【００６１】
フィルタ回路２２の接続部Ｐ２２０、Ｐ２２１は、バスバーＢＢ２４、ＢＢ２５を介してフィルタ回路２１の接続部Ｐ２１０、Ｐ２１１に接続されている。
【００６２】
接続部Ｐ２１０、Ｐ２１１は、コンデンサ２１０、２１１の一端部に接続される配線パターンの当該一端部の近傍に設けられている。そのため、第１実施形態の場合と同様に、コンデンサ２１０、２１１とフィルタ回路２２が多段接続されるとともに、さらに、コンデンサ２００、２１０が多段接続された状態になる。
【００６３】
バスバーＢＢ２４は、バスバーＢＢ２４のインダクタンスとコンデンサ２１０、２２０で、ノイズ除去機能を有する回路を構成することができるように、長さが調整されている。また、バスバーＢＢ２５は、バスバーＢＢ２５のインダクタンスとコンデンサ２１１、２２１で、ノイズ除去機能を有する回路を構成することができるように、長さが調整されている。そのため、第１実施形態の場合と同様に、バスバーＢＢ２４のインダクタンスとコンデンサ２１０、２２０、及び、バスバーＢＢ２５のインダクタンスとコンデンサ２１１、２２１で、フィルタ回路が別途形成されるとともに、別途形成された前述したフィルタ回路が前段に多段接続された状態になる。
【００６４】
コンバータ回路２６の動作に伴うノイズは、フィルタ回路２２によって除去される。また、多段接続された、前段に別途形成された前述したフィルタ回路と、バスバーＢＢ２４のインダクタンスとコンデンサ２１０、２２０、及び、バスバーＢＢ２５のインダクタンスとコンデンサ２１１、２２１で別途形成されたフィルタ回路によって除去される。
【００６５】
フィルタ回路２３の接続部Ｐ２３０、Ｐ２３１は、バスバーＢＢ２６、ＢＢ２７を介してフィルタ回路２２の接続部Ｐ２２０、Ｐ２２１に接続されている。
【００６６】
接続部Ｐ２２０、Ｐ２２１は、コンデンサ２２０、２２１の一端部に接続される配線パターンの当該一端部の近傍に設けられている。そのため、第１実施形態の場合と同様に、コンデンサ２２０、２２１とフィルタ回路２３が多段接続されるとともに、さらに、コンデンサ２００、２１０とコンデンサ２１０、２１１が多段接続された状態になる。
【００６７】
バスバーＢＢ２６は、バスバーＢＢ２６のインダクタンスとコンデンサ２２０、２３０で、ノイズ除去機能を有する回路を構成することができるように、長さが調整されている。また、バスバーＢＢ２７は、バスバーＢＢ２７のインダクタンスとコンデンサ２２１、２３１で、ノイズ除去機能を有する回路を構成することができるように、長さが調整されている。そのため、第１実施形態の場合と同様に、バスバーＢＢ２６のインダクタンスとコンデンサ２２０、２３０、及び、バスバーＢＢ２７のインダクタンスとコンデンサ２２１、２３１で、フィルタ回路が別途形成されるとともに、別途形成された前述したフィルタ回路が前段及び前々段に多段接続された状態になる。
【００６８】
コンバータ回路２７の動作に伴うノイズは、フィルタ回路２３によって除去される。また、多段接続された、前段及び前々段に別途形成された前述したフィルタ回路と、バスバーＢＢ２６のインダクタンスとコンデンサ２２０、２３０、及び、バスバーＢＢ２７のインダクタンスとコンデンサ２２１、２３１で別途形成されたフィルタ回路によって除去される。
【００６９】
図４に示すコンバータ回路２４〜２７は、スイッチング素子をスイッチングさせることで、フィルタ回路２０〜２３を介して供給される直流電力を変換してそれぞれ共通の負荷に供給する。これにより、高電圧バッテリＢ２から供給される直流電力が、フィルタ回路２０及びコンバータ回路２４、フィルタ回路２１及びコンバータ回路２５、フィルタ回路２２及びコンバータ回路２６、フィルタ回路２３及びコンバータ回路２７を介して負荷に供給される。
【００７０】
次に、第２実施形態の電力変換装置の効果について説明する。第２実施形態によれば、第１実施形態と同様の効果を得ることができる。
【００７１】
なお、第２実施形態では、隣接するフィルタ回路の接続部同士がバスバーを介して接続されている例を挙げているが、これに限られるものではない。図６に示すように、フィルタ回路２２の接続部Ｐ２２０、Ｐ２２１が、バスバーＢＢ２８、ＢＢ２９を介してフィルタ回路２０の接続部Ｐ２００、Ｐ２０１に接続されていてもよい。複数のフィルタ回路が、接続部を介して少なくともいずれかのフィルタ回路に接続されていればよい。
【００７２】
第２実施形態では、フィルタ回路２０が接続部Ｐ２００、Ｐ２０１を介して高電圧バッテリＢ２に接続されている例を挙げているが、これに限られるものではない。他のフィルタ回路が接続部を介して高電圧バッテリＢ２に接続されていてもよい。複数のフィルタ回路のうち、いずれかのフィルタ回路が、接続部を介して高電圧バッテリに接続されていればよい。
【００７３】
第２実施形態では、フィルタ回路同士を接続するバスバーが、板厚方向と直交する方向に所定の間隔を隔てて平行に配置されている例を挙げているが、これに限られるものではない。フィルタ回路同士を接続するバスバーは、板厚方向に所定の間隔を隔てて対向して配置されていてもよい。
【００７４】
第２実施形態では、フィルタ回路２０〜２３がプリント基板ＰＢ２０〜ＰＢ２３にそれぞれ設けられている例を挙げているが、これに限られるものではない。全てのフィルタ回路が共通のプリント基板に設けられていてもよい。
【符号の説明】
【００７５】
１・・・電力変換装置、１０、１１・・・フィルタ回路、１００、１０１・・・コンデンサ、Ｐ１００、Ｐ１０１、Ｐ１１０、Ｐ１１１・・・接続部、１２、１３・・・コンバータ回路（電力変換回路）、ＢＢ１０〜ＢＢ１３・・・バスバー（配線）、Ｂ１・・・高電圧バッテリ
【図１】
2015226087.tif 000003
【図２】
2015226087.tif 000004
【図３】
2015226087.tif 000005
【図４】
2015226087.tif 000006
【図５】
2015226087.tif 000007
【図６】
2015226087.tif 000008